(57)【特許請求の範囲】
【請求項１】
無線通信ネットワークのアクセスポイントと複数のモバイル端末との間でＫ個の個別送信を実行するために前記無線通信ネットワーク内の送信リソースを割り当てるための方法であって、
前記送信は、前記無線通信ネットワークにおいてフレームごとに行われ、
前記方法は、前記Ｋ個の個別送信を実行するための前記送信リソースを割り当てることを担う管理デバイスによって実行され、
後続のフレームにおいて割り当てられる送信リソースを前記モバイル端末が判定可能にするためのシグナリング情報が、各フレームの少なくとも１つの送信リソースにおいて送信され、
前記管理デバイスは、前記Ｋ個の個別送信ごとに、前記個別送信によって使用される場合の送信リソースごとに予想される信号＋干渉対雑音比を表す情報を有し、前記管理デバイスは、前記送信リソースがシグナリング情報を送信するために使用される場合の送信リソースごとに予想される信号＋干渉対雑音比を表す情報を有し、
前記管理デバイスは、インデックス値ｔによって識別されるフレームにおいて前記Ｋ個の個別送信のための送信リソースを割り当てることを検討するときに、
インデックス値ｔ−Ｗ−Ｔ＋２によって識別されるフレームからインデックス値ｔ−１によって識別されるフレームまでのあらかじめ割り当てられた前記送信リソースを表す情報を入手することであって、ここで、Ｗ≧１は、予め設定された第１の連続するフレーム数であり、Ｔ≧１は、予め設定された第２の連続するフレーム数である、ことと、
以下の式
【数１】
0006437089.tif 000047
を最大化するために、インデックス値ｔ−Ｗ＋１によって識別されるフレームからインデックス値ｔ−１によって識別されるフレームまでの送信リソース割当てを見直すことによって、インデックス値ｔによって識別され、前記Ｋ個の個別送信を実行するためのフレームにおける送信リソースと、インデックス値ｔ−ｘによって識別され、インデックス値ｔによって識別されるフレームに関連するシグナリング情報を送信するためのフレームにおける送信リソースとを割り当てることであって、
ここで、ｘ≧１は、インデックス値ｔによって識別されるフレームと、インデックス値ｔによって識別されるフレームに関連するシグナリング情報が送信される先行するフレームとの間のフレーム数に関する差を表し、かつ、Ｗ≧ｘであり、
Ｐ（ｔ−ｕ）は、前記Ｋ個の個別送信のそれぞれにおける少なくとも１つのメッセージが、信号＋干渉対雑音比を考慮して、インデックス値ｔ−ｕ−Ｔ＋１によって識別されるフレームと、インデックス値ｔ−ｕによって識別されるフレームとの間で正しく受信される確率を表す性能指数である、ことと、
インデックス値ｔ−Ｗ−ｘ＋１によって識別されるフレームの送信を可能にすることと、
を実行することを特徴とする、方法。
【請求項２】
インデックス値ｔ−Ｗ＋１によって識別されるフレームからインデックス値ｔ−１によって識別されるフレームまでの送信リソース割当てを見直すために、前記管理デバイスは、インデックス値ｔによって識別されるフレームの全ての送信リソースを割り当て、以下の式
【数２】
0006437089.tif 000048
を改善するために、インデックス値ｔ−Ｗ＋１によって識別されるフレームからインデックス値ｔ−１によって識別されるフレームまでの送信リソース割当ての変更を評価する
ことを特徴とする、請求項１に記載の方法。
【請求項３】
前記性能指数Ｐ（ｔ−ｕ）は以下のように定義され、
【数３】
0006437089.tif 000049
ここで、ＥＭ（ｋ，Ｒｋ，ｔ−ｕ−τ）は、インデックス値ｔ−ｕ−τによって識別されるフレームにおいて少なくとも１つの送信リソースの組Ｒｋ，ｔ−ｕ−τを使用することによって、インデックス値ｋによって識別される個別送信において受ける誤りの確率を表し、
ＥＢ（ｋ，Ｒ０，ｔ−ｕ−τ−ｘ）は、インデックス値ｔ−ｕ−τ−ｘによって識別されるフレームにおいて少なくとも１つの送信リソースの組Ｒ０，ｔ−ｕ−τ−ｘを用いて送信される、インデックス値ｋによって識別される前記個別送信に関連する前記シグナリング情報において受ける誤りの確率を表す
ことを特徴とする、請求項２に記載の方法。
【請求項４】
前記送信リソース割当ての前記変更を評価するとき、前記管理デバイスは、以下の式：
【数４】
0006437089.tif 000050
の最悪の結果を示すフレームの送信リソースの中の全ての取り得る変更を最初に試験することによって開始する
ことを特徴とする、請求項３に記載の方法。
【請求項５】
各前記フレームは、前記フレームにおいて割り当てられる送信リソースを前記モバイル端末が判定可能にするための更なるシグナリング情報を含む固定フィールドで開始し、前記性能指数Ｐ（ｔ−ｕ）は以下のように定義され、
【数５】
0006437089.tif 000051
但し、以下の式が成り立ち、
【数６】
0006437089.tif 000052
ここで、ＥＭ（ｋ，Ｒｋ，ｔ−ｕ−τ）は、インデックス値ｔ−ｕ−τによって識別されるフレームにおいて少なくとも１つの送信リソースの組Ｒｋ，ｔ−ｕ−τを使用することによって、インデックス値ｋによって識別される前記個別送信において受ける誤りの確率を表し、
ＥＢ（ｋ，Ｒ０，ｔ−ｕ−τ−ｘ）は、インデックス値ｔ−ｕ−τ−ｘによって識別されるフレームにおいて少なくとも１つの送信リソースの組Ｒ０，ｔ−ｕ−τ−ｘを用いて送信される、インデックス値ｋによって識別される前記個別送信に関連する前記シグナリング情報において受ける誤りの確率を表し、
【数７】
0006437089.tif 000053
は、インデックス値ｔ−ｕ−τによって識別されるフレームの前記固定フィールドにおいて送信される、インデックス値ｋによって識別される前記個別送信に関連するシグナリング情報において受ける誤りの確率を表す
ことを特徴とする、請求項２に記載の方法。
【請求項６】
前記送信リソース割当ての前記変更を評価するとき、前記管理デバイスは、以下の式
【数８】
0006437089.tif 000054
の最悪の結果を示すフレームの送信リソースの中の全ての取り得る変更を最初に試験することによって開始する
ことを特徴とする、請求項５に記載の方法。
【請求項７】
前記送信リソース割当ての前記変更を評価するとき、前記管理デバイスは、最悪の性能指数Ｐ（ｔ−ｕ）を示すインデックス値ｔ−ｕによって識別されるフレームの送信リソースの中の全ての取り得る変更を最初に試験することによって開始する
ことを特徴とする、請求項３または５に記載の方法。
【請求項８】
インデックス値ｋによって識別される前記個別送信のためのインデックス値ｔ−ｕ−τによって識別される前記フレームにおいて送信されることになる各メッセージは、前記組Ｒｋ，ｔ−ｕ−τにわたって拡散され、誤りの確率ＥＭ（ｋ，Ｒｋ，ｔ−ｕ−τ）は以下のように表され、
【数９】
0006437089.tif 000055
ここで、ｆＭは１組の信号＋干渉対雑音比｛ρ｝の関数としてデータ誤り率を与える多変数関数を表し、前記関数は、前記組Ｒｋ，ｔ−ｕ−τにわたって送信を実行するために使用される物理層構成の挙動モデルによって決まり、
ρｋ（Ｒｋ，ｔ−ｕ−τ（ｉ））は、前記組Ｒｋ，ｔ−ｕ−τの中のインデックスｉによって識別される送信リソースＲｋ，ｔ−ｕ−τ（ｉ）内のメッセージの場合に受けると予想される信号＋干渉対雑音比を表す
ことを特徴とする、請求項３から７までのいずれか１項に記載の方法。
【請求項９】
インデックス値ｋによって識別される個別送信のためのインデックス値ｔ−ｕ−τによって識別されるフレームにおいて送信されることになる各メッセージは、１つの送信リソースにおいて唯一送信され、誤りの確率ＥＭ（ｋ，Ｒｋ，ｔ−ｕ−τ）は以下のように表され、
【数１０】
0006437089.tif 000056
ここで、ｆ’Ｍは信号＋干渉対雑音比ρの関数としてデータ誤り率を与える関数を表し、前記関数は組Ｒｋ，ｔ−ｕ−τにわたって送信を実行するために使用される物理層構成の挙動モデルによって決まり、
ρｋ（Ｒｋ，ｔ−ｕ−τ（ｉ））は、前記組Ｒｋ，ｔ−ｕ−τの中のインデックスｉによって識別される送信リソースＲｋ，ｔ−ｕ−τ（ｉ）内のメッセージの場合に受けると予想される信号＋干渉対雑音比を表す
ことを特徴とする、請求項３から７までのいずれか１項に記載の方法。
【請求項１０】
インデックス値ｋによって識別される個別送信のためのインデックス値ｔ−ｕ−τによって識別されるフレームにおいて送信されることになる各メッセージは、前記組Ｒｋ，ｔ−ｕ−τの各送信リソース内で繰り返され、共同で復号されると予想され、誤りの確率ＥＭ（ｋ，Ｒｋ，ｔ−ｕ−τ）は以下のように表され、
【数１１】
0006437089.tif 000057
ここで、ρｋ（Ｒｋ，ｔ−ｕ−τ（ｉ））は、前記組Ｒｋ，ｔ−ｕ−τの中のインデックスｉによって識別される送信リソースＲｋ，ｔ−ｕ−τ（ｉ）内のメッセージの場合に受けると予想される信号＋干渉対雑音比を表し、ｆ’’Ｍは信号＋干渉対雑音比ρの関数としてデータ誤り率を与える関数を表し、前記関数は前記組Ｒｋ，ｔ−ｕ−τにわたって送信を実行するために使用される物理層構成の挙動モデルによって決まる
ことを特徴とする、請求項３から７までのいずれか１項に記載の方法。
【請求項１１】
インデックス値ｋによって識別される個別送信のためのインデックス値ｔ−ｕ−τによって識別されるフレームにおいて送信されることになる各メッセージは、前記組Ｒｋ，ｔ−ｕ−τの各送信リソース内で繰り返され、独立して復号されると予想され、誤りの確率ＥＭ（ｋ，Ｒｋ，ｔ−ｕ−τ）は以下のように表され、
【数１２】
0006437089.tif 000058
ここで、ｆ’’’Ｍは信号＋干渉対雑音比ρの関数としてデータ誤り率を与える関数を表し、前記関数は、前記組Ｒｋ，ｔ−ｕ−τにわたって送信を実行するために使用される物理層構成の挙動モデルによって決まり、
ρｋ（Ｒｋ，ｔ−ｕ−τ（ｉ））は、前記組Ｒｋ，ｔ−ｕ−τの中のインデックスｉによって識別される送信リソースＲｋ，ｔ−ｕ−τ（ｉ）内のメッセージの場合に受けると予想される信号＋干渉対雑音比を表す
ことを特徴とする、請求項３から７までのいずれか１項に記載の方法。
【請求項１２】
インデックス値ｔ−ｕ−τ−ｘによって識別されるフレームにおいて送信されることになり、インデックス値ｔ−ｕ−τによって識別されるフレームに関連する前記シグナリング情報は１つの送信リソースにおいて唯一送信され、誤りの確率ＥＢ（ｋ，Ｒ０，ｔ−ｕ−τ−ｘ）は以下のように表され、
【数１３】
0006437089.tif 000059
ここで、ｆＢは信号＋干渉対雑音比ρの関数としてデータ誤り率を与える関数を表し、前記関数は、前記組Ｒ０，ｔ−ｕ−τ−ｘにわたって送信を実行するために使用される物理層構成の挙動モデルによって決まり、
ρｋ（Ｒ０，ｔ−ｕ−τ−ｘ（ｉ））は、前記組Ｒ０，ｔ−ｕ−τ−ｘの中のインデックスｉによって識別される送信リソースＲ０，ｔ−ｕ−τ−ｘ（ｉ）内のインデックスｋによって識別される個別送信に関するシグナリング情報の場合に受けると予想される信号＋干渉対雑音比を表す
ことを特徴とする、請求項３から１０までのいずれか１項に記載の方法。
【請求項１３】
インデックス値ｔ−ｕ−τ−ｘによって識別されるフレームにおいて送信されることになり、インデックス値ｔ−ｕ−τによって識別されるフレームに関連する前記シグナリング情報は、前記組Ｒ０，ｔ−ｕ−τ−ｘにわたって拡散され、共同で復号されると予想され、誤りの確率ＥＢ（ｋ，Ｒ０，ｔ−ｕ−τ−ｘ）は以下のように表され、
【数１４】
0006437089.tif 000060
ここで、ｆ’Ｂは信号＋干渉対雑音比ρの関数としてデータ誤り率を与える関数を表し、前記関数は、前記組Ｒ０，ｔ−ｕ−τ−ｘにわたって送信を実行するために使用される物理層構成の挙動モデルによって決まり、
ρｋ（Ｒ０，ｔ−ｕ−τ−ｘ（ｉ））は、前記組Ｒ０，ｔ−ｕ−τ−ｘの中のインデックスｉによって識別される送信リソースＲ０，ｔ−ｕ−τ−ｘ（ｉ）内のインデックスｋによって識別される個別送信に関するシグナリング情報の場合に受けると予想される信号＋干渉対雑音比を表す
ことを特徴とする、請求項３から１０までのいずれか１項に記載の方法。
【請求項１４】
インデックス値ｔ−ｕ−τ−ｘによって識別されるフレームにおいて送信されることになり、インデックス値ｔ−ｕ−τによって識別されるフレームに関連する前記シグナリング情報は、前記組Ｒ０，ｔ−ｕ−τ−ｘの各送信リソースにおいて繰り返され、独立して復号されると予想され、誤りの確率ＥＢ（ｋ，Ｒ０，ｔ−ｕ−τ−ｘ）は以下のように表され、
【数１５】
0006437089.tif 000061
ここで、ｆ’’Ｂは信号＋干渉対雑音比ρの関数としてデータ誤り率を与える関数を表し、前記関数は、前記組Ｒ０，ｔ−ｕ−τ−ｘにわたって送信を実行するために使用される物理層構成の挙動モデルによって決まり、
ρｋ（Ｒ０，ｔ−ｕ−τ−ｘ（ｉ））は、組Ｒ０，ｔ−ｕ−τ−ｘの中のインデックスｉによって識別される送信リソースＲ０，ｔ−ｕ−τ−ｘ（ｉ）内のインデックスｋによって識別される個別送信に関するシグナリング情報の場合に受けると予想される信号＋干渉対雑音比を表す
ことを特徴とする、請求項３から１０までのいずれか１項に記載の方法。
【請求項１５】
インデックス値ｔによって識別されるフレームと、インデックス値ｔによって識別されるフレームに関連する前記シグナリング情報が送信される先行するフレームとの間のフレーム数に関する差は「１」に等しい
ことを特徴とする、請求項１から１４までのいずれか１項に記載の方法。
【請求項１６】
無線通信ネットワークのアクセスポイントと複数のモバイル端末との間でＫ個の個別送信を実行するために前記無線通信ネットワーク内の送信リソースを割り当てるための管理デバイス（１００）であって、
前記送信は、前記無線通信ネットワークにおいてフレームごとに行われ、
後続のフレームにおいて割り当てられる送信リソースを前記モバイル端末が判定可能にするためのシグナリング情報が各フレームの少なくとも１つの送信リソースにおいて送信され、
前記管理デバイスは、前記Ｋ個の個別送信ごとに、前記個別送信によって使用される場合の送信リソースごとに予想される信号＋干渉対雑音比を表す情報を有し、前記管理デバイスは、前記送信リソースが前記シグナリング情報を送信するために使用される場合の送信リソースごとに予想される信号＋干渉対雑音比を表す情報を有し、
該管理デバイスは、インデックス値ｔによって識別されるフレームにおいて前記Ｋ個の個別送信のための送信リソースを割り当てることを検討するときに、
インデックス値ｔ−Ｗ−Ｔ＋２によって識別されるフレームからインデックス値ｔ−１によって識別されるフレームまであらかじめ割り当てられた送信リソースを表す情報を入手する手段であって、ここで、Ｗ≧１は、予め設定された第１の連続するフレーム数であり、Ｔ≧１は、予め設定された第２の連続するフレーム数である、手段と、
以下の式
【数１６】
0006437089.tif 000062
を最大化するために、インデックス値ｔ−Ｗ＋１によって識別されるフレームからインデックス値ｔ−１によって識別されるフレームまでの送信リソース割当てを見直すことによって、インデックス値ｔによって識別され、前記Ｋ個の個別送信を実行するためのフレームにおける送信リソースと、インデックス値ｔ−ｘによって識別され、インデックス値ｔによって識別されるフレームに関連するシグナリング情報を送信するためのフレームにおける送信リソースとを割り当てる手段であって、
ここで、ｘ≧１はインデックス値ｔによって識別されるフレームと、インデックス値ｔによって識別されるフレームに関連するシグナリング情報が送信される先行するフレームとの間のフレーム数に関する差を表し、かつ、Ｗ≧ｘであり、
Ｐ（ｔ−ｕ）は、前記Ｋ個の個別送信のそれぞれにおける少なくとも１つのメッセージが、信号＋干渉対雑音比を考慮して、インデックス値ｔ−ｕ−Ｔ＋１によって識別されるフレームと、インデックス値ｔ−ｕによって識別されるフレームとの間で正しく受信される確率を表す性能指数である、手段と、
インデックス値ｔ−Ｗ−ｘ＋１によって識別されるフレームの送信を可能にする手段と、
を実現することを特徴とする、管理デバイス。
【発明の詳細な説明】
【技術分野】
【０００１】
本発明は包括的には、無線通信ネットワークの１つのアクセスポイントと複数のモバイル端末との間でＫ個の個別送信を実行するために、無線通信ネットワーク内の送信リソースを割り当てることに関する。
【背景技術】
【０００２】
無線通信ネットワーク内で送信を行うために、無線通信ネットワークの送信リソース（チャネル関連）は、リソース使用の協調を担当する無線通信ネットワークのデバイスによって割り当てられる必要がある。そのような送信リソースは、検討対象の無線通信ネットワークのタイプによって決まる。したがって、そのような送信リソースは、時間リソース及び周波数リソース、ＣＤＭＡ（符号分割多元接続）無線通信ネットワークにおける符号、ＯＦＤＭＡ（直交周波数分割多元接続）無線通信ネットワークにおける周波数、ＴＤＭＡ（時分割多元接続）無線通信ネットワークにおけるタイムスロットとすることができる。
【０００３】
例えば、時間及び周波数リソースを検討すると、時間はまず、複数のフレーム期間に分割され、これらのフレーム期間において、各フレームが予め定められた１つのフォーマットに従ってそれぞれ送信される。各フレーム期間は、等しいサイズのタイムスロットを含み、これにより時間リソースを定義する。複数の周波数又は複数の周波数帯域が送信の実行に利用可能であり、これにより周波数リソースを定義する。このとき、単一のフレームの別個のフィールドは、別個の周波数リソースに依拠することができる。１つのそのようなタイムスロット中の１つのそのような周波数又は周波数帯域の使用は、１つの時間及び周波数リソースを定義する。時間及び周波数リソースは通常、グリッドを用いて表され、ここで周波数リソースは１つの軸において表され、時間リソースは別の軸において表される。
【０００４】
無線通信ネットワークの通信デバイスごとに、どの送信リソースを介して送信が実効的に行われると予想されるかを判断できるようにするために、リソース割当ては一般に無線通信ネットワーク内でシグナリングされるべきである。シグナリングは通常、ブロードキャストモードにおいて、各フレームの固定フィールド内で実行される。それは、無線通信ネットワークが動作すると仮定される最悪の干渉状態を克服しようと試みるために、シグナリングがロバストな変調及びコーディング方式に頼ることを意味する。それゆえ、シグナリング情報を送信するためのそのような構成は、スペクトルに関して効率的ではなく、それは無線通信ネットワーク性能に大きな影響を与える。
【０００５】
従来技術の上記の欠点を克服することが望ましい。
【０００６】
より詳細には、送信リソースがフレームごとにいかに割り当てられるかを無線通信ネットワークの通信デバイスに通知するためのシグナリング情報送信に関係するもののために、そのような無線通信ネットワークの性能を改善することが望ましい。
【発明の概要】
【０００７】
そのために、本発明は、１つのアクセスポイントと複数のモバイル端末との間でＫ個の個別送信を実行するために無線通信ネットワーク内の送信リソースを割り当てるための方法に関し、その送信は無線通信ネットワークにおいてフレームごとに行われ、その方法は、Ｋ個の個別送信を実行するための送信リソースを割り当てることを担う管理デバイスによって実行され、後続のフレームにおいて割り当てられる送信リソースをモバイル端末が判断できるようにすることを意図したシグナリング情報が各フレームの少なくとも１つの送信リソースにおいて送信され、Ｋ個の個別送信ごとに、管理デバイスは、その個別送信によって使用されるときに送信リソースごとに予想される信号＋干渉対雑音比を表す情報を有し、管理デバイスは、その送信リソースがシグナリング情報を送信するために使用されるときに送信リソースごとに予想される信号＋干渉対雑音比を表す情報を有する。その方法では更に、管理デバイスは、インデックス値ｔによって識別されるフレームにおいてＫ個の個別送信のための送信リソースを割り当てることを検討するときに、インデックス値ｔ−Ｗ−Ｔ＋２によって識別されるフレームからインデックス値ｔ−１によって識別されるフレームまであらかじめ割り当てられた送信リソースを表す情報を入手することであって、Ｗ≧１は、予め設定された第１の連続するフレーム数であり、Ｔ≧１は、予め設定された第２の連続するフレーム数であることと、以下の式
【数１】
0006437089.tif 000002
を最大化するために、インデックス値ｔ−Ｗ＋１によって識別されるフレームからインデックス値ｔ−１によって識別されるフレームまでの送信リソース割当てを見直すことによって、インデックス値ｔによって識別され、Ｋ個の個別送信を実行するためのフレームにおける送信リソースと、インデックス値ｔ−ｘによって識別され、インデックス値ｔによって識別されるフレームに関連するシグナリング情報を送信するためのフレームにおける送信リソースとを割り当てることであって、ｘ≧１はインデックス値ｔによって識別されるフレームと、インデックス値ｔによって識別されるフレームに関連するシグナリング情報が送信される先行するフレームとの間のフレーム数に関する差を表し、Ｗ≧ｘであり、Ｐ（ｔ−ｕ）は、Ｋ個の個別送信のそれぞれにおける少なくとも１つのメッセージが、信号＋干渉対雑音比を考慮して、インデックス値ｔ−ｕ−Ｔ＋１によって識別されるフレームと、インデックス値ｔ−ｕによって識別されるフレームとの間で正しく受信される確率を表す性能指数である、割り当てることと、その後、インデックス値ｔ−Ｗ−ｘ＋１によって識別されるフレームの送信を可能にすることとを実行する。このようにして、上記の式を最大化することによって、シグナリング情報を送信するために使用される送信リソースがＫ個の個別送信の場合に動的に規定されるので、無線通信ネットワークの性能が改善される。実際には、従来技術のシステムでは、シグナリング情報は最悪状態のシナリオを考慮することによってブロードキャストされ、その結果、十分なロバストネスを与えるために余分なオーバーヘッドが生じる。
【０００８】
特定の特徴によれば、インデックス値ｔ−Ｗ＋１によって識別されるフレームからインデックス値ｔ−１によって識別されるフレームまでの送信リソース割当てを見直すために、管理デバイスは、インデックス値ｔによって識別されるフレームの全ての送信リソースを割り当て、以下の式：
【数２】
0006437089.tif 000003
を改善するために、インデックス値ｔ−Ｗ＋１によって識別されるフレームからインデックス値ｔ−１によって識別されるフレームまでの送信リソース割当ての変更を評価する。
【０００９】
特定の特徴によれば、性能指数Ｐ（ｔ−ｕ）は以下のように定義される。
【数３】
0006437089.tif 000004
ただし、ＥＭ（ｋ，Ｒｋ，ｔ−ｕ−τ）は、インデックス値ｔ−ｕ−τによって識別されるフレームにおいて少なくとも１つの送信リソースの組Ｒｋ，ｔ−ｕ−τを使用することによって、インデックス値ｋによって識別される個別送信において受ける誤りの確率を表し、ＥＢ（ｋ，Ｒ０，ｔ−ｕ−τ−ｘ）は、インデックス値ｔ−ｕ−τ−ｘによって識別されるフレームにおいて少なくとも１つの送信リソースの組Ｒ０，ｔ−ｕ−τ−ｘを用いて送信される、インデックス値ｋによって識別される個別送信に関連するシグナリング情報において受ける誤りの確率を表す。
【００１０】
特定の特徴によれば、送信リソース割当ての上記変更を評価するとき、管理デバイスは、以下の式：
【数４】
0006437089.tif 000005
の最悪の結果を示すフレームの送信リソースの中の全ての取り得る変更を最初に試験することによって開始する。
【００１１】
特定の特徴によれば、各フレームは、そのフレームにおいて割り当てられる送信リソースをモバイル端末が判断できるようにすることを意図した更なるシグナリング情報を含む固定フィールドで開始し、性能指数Ｐ（ｔ−ｕ）は以下のように定義される。
【数５】
0006437089.tif 000006
ただし、以下の式が成り立つ。
【数６】
0006437089.tif 000007
ただし、ＥＭ（ｋ，Ｒｋ，ｔ−ｕ−τ）は、インデックス値ｔ−ｕ−τによって識別されるフレームにおいて少なくとも１つの送信リソースの組Ｒｋ，ｔ−ｕ−τを使用することによって、インデックス値ｋによって識別される個別送信において受ける誤りの確率を表し、ＥＢ（ｋ，Ｒ０，ｔ−ｕ−τ−ｘ）は、インデックス値ｔ−ｕ−τ−ｘによって識別されるフレームにおいて少なくとも１つの送信リソースの組Ｒ０，ｔ−ｕ−τ−ｘを用いて送信される、インデックス値ｋによって識別される個別送信に関連するシグナリング情報において受ける誤りの確率を表し、
【数７】
0006437089.tif 000008
は、インデックス値ｔ−ｕ−τによって識別されるフレームの固定フィールドにおいて送信される、インデックス値ｋによって識別される個別送信に関連するシグナリング情報において受ける誤りの確率を表す。
【００１２】
特定の特徴によれば、送信リソース割当ての上記変更を評価するとき、管理デバイスは、以下の式：
【数８】
0006437089.tif 000009
の最悪の結果を示すフレームの送信リソースの中の全ての取り得る変更を最初に試験することによって開始する。
【００１３】
特定の特徴によれば、送信リソース割当ての上記変更を評価するとき、管理デバイスは、最悪の性能指数Ｐ（ｔ−ｕ）を示すインデックス値ｔ−ｕによって識別されるフレームの送信リソースの中の全ての取り得る変更を最初に試験することによって開始する。
【００１４】
特定の特徴によれば、インデックス値ｋによって識別される個別送信のためのインデックス値ｔ−ｕ−τによって識別されるフレームにおいて送信されることになる各メッセージは、組Ｒｋ，ｔ−ｕ−τにわたって拡散され、誤りの確率ＥＭ（ｋ，Ｒｋ，ｔ−ｕ−τ）は以下のように表される。
【数９】
0006437089.tif 000010
ただし、ｆＭは１組の信号＋干渉対雑音比｛ρ｝の関数としてデータ誤り率を与える多変数関数を表し、その関数は組Ｒｋ，ｔ−ｕ−τにわたって送信を実行するために使用される物理層構成の挙動モデルによって決まり、ρｋ（Ｒｋ，ｔ−ｕ−τ（ｉ））は、組Ｒｋ，ｔ−ｕ−τの中のインデックスｉによって識別される送信リソースＲｋ，ｔ−ｕ−τ（ｉ）内のメッセージの場合に受けると予想される信号＋干渉対雑音比を表す。
【００１５】
特定の特徴によれば、インデックス値ｋによって識別される個別送信のためのインデックス値ｔ−ｕ−τによって識別されるフレームにおいて送信されることになる各メッセージは、１つの送信リソースにおいて唯一送信され、誤りの確率ＥＭ（ｋ，Ｒｋ，ｔ−ｕ−τ）は以下のように表される。
【数１０】
0006437089.tif 000011
ただし、ｆ’Ｍは信号＋干渉対雑音比ρの関数としてデータ誤り率を与える関数を表し、その関数は組Ｒｋ，ｔ−ｕ−τにわたって送信を実行するために使用される物理層構成の挙動モデルによって決まり、ρｋ（Ｒｋ，ｔ−ｕ−τ（ｉ））は、組Ｒｋ，ｔ−ｕ−τの中のインデックスｉによって識別される送信リソースＲｋ，ｔ−ｕ−τ（ｉ）内のメッセージの場合に受けると予想される信号＋干渉対雑音比を表す。
【００１６】
特定の特徴によれば、インデックス値ｋによって識別される個別送信のためのインデックス値ｔ−ｕ−τによって識別されるフレームにおいて送信されることになる各メッセージは、組Ｒｋ，ｔ−ｕ−τの各送信リソース内で繰り返され、共同で復号されると予想され、誤りの確率ＥＭ（ｋ，Ｒｋ，ｔ−ｕ−τ）は以下のように表される。
【数１１】
0006437089.tif 000012
ただし、ρｋ（Ｒｋ，ｔ−ｕ−τ（ｉ））は、組Ｒｋ，ｔ−ｕ−τの中のインデックスｉによって識別される送信リソースＲｋ，ｔ−ｕ−τ（ｉ）内のメッセージの場合に受けると予想される信号＋干渉対雑音比を表し、ｆ’’Ｍは信号＋干渉対雑音比ρの関数としてデータ誤り率を与える関数を表し、その関数は組Ｒｋ，ｔ−ｕ−τにわたって送信を実行するために使用される物理層構成の挙動モデルによって決まる。
【００１７】
特定の特徴によれば、インデックス値ｋによって識別される個別送信のためのインデックス値ｔ−ｕ−τによって識別されるフレームにおいて送信されることになる各メッセージは、組Ｒｋ，ｔ−ｕ−τの各送信リソース内で繰り返され、独立して復号されると予想され、誤りの確率ＥＭ（ｋ，Ｒｋ，ｔ−ｕ−τ）は以下のように表される。
【数１２】
0006437089.tif 000013
ただし、ｆ’’’Ｍは信号＋干渉対雑音比ρの関数としてデータ誤り率を与える関数を表し、その関数は組Ｒｋ，ｔ−ｕ−τにわたって送信を実行するために使用される物理層構成の挙動モデルによって決まり、ρｋ（Ｒｋ，ｔ−ｕ−τ（ｉ））は、組Ｒｋ，ｔ−ｕ−τの中のインデックスｉによって識別される送信リソースＲｋ，ｔ−ｕ−τ（ｉ）内のメッセージの場合に受けると予想される信号＋干渉対雑音比を表す。
【００１８】
特定の特徴によれば、インデックス値ｔ−ｕ−τ−ｘによって識別されるフレームにおいて送信されることになり、インデックス値ｔ−ｕ−τによって識別されるフレームに関連するシグナリング情報は１つの送信リソースにおいて唯一送信され、誤りの確率ＥＢ（ｋ，Ｒ０，ｔ−ｕ−τ−ｘ）は以下のように表される。
【数１３】
0006437089.tif 000014
ただし、ｆＢは信号＋干渉対雑音比ρの関数としてデータ誤り率を与える関数を表し、その関数は組Ｒ０，ｔ−ｕ−τ−ｘにわたって送信を実行するために使用される物理層構成の挙動モデルによって決まり、ρｋ（Ｒ０，ｔ−ｕ−τ−ｘ（ｉ））は、組Ｒ０，ｔ−ｕ−τ−ｘの中のインデックスｉによって識別される送信リソースＲ０，ｔ−ｕ−τ−ｘ（ｉ）内のインデックスｋによって識別される個別送信に関するシグナリング情報の場合に受けると予想される信号＋干渉対雑音比を表す。
【００１９】
特定の特徴によれば、インデックス値ｔ−ｕ−τ−ｘによって識別されるフレームにおいて送信されることになり、インデックス値ｔ−ｕ−τによって識別されるフレームに関連するシグナリング情報は組Ｒ０，ｔ−ｕ−τ−ｘにわたって拡散され、共同で復号されると予想され、誤りの確率ＥＢ（ｋ，Ｒ０，ｔ−ｕ−τ−ｘ）は以下のように表される。
【数１４】
0006437089.tif 000015
ただし、ｆ’Ｂは信号＋干渉対雑音比ρの関数としてデータ誤り率を与える関数を表し、その関数は組Ｒ０，ｔ−ｕ−τ−ｘにわたって送信を実行するために使用される物理層構成の挙動モデルによって決まり、ρｋ（Ｒ０，ｔ−ｕ−τ−ｘ（ｉ））は、組Ｒ０，ｔ−ｕ−τ−ｘの中のインデックスｉによって識別される送信リソースＲ０，ｔ−ｕ−τ−ｘ（ｉ）内のインデックスｋによって識別される個別送信に関するシグナリング情報の場合に受けると予想される信号＋干渉対雑音比を表す。
【００２０】
特定の特徴によれば、インデックス値ｔ−ｕ−τ−ｘによって識別されるフレームにおいて送信されることになり、インデックス値ｔ−ｕ−τによって識別されるフレームに関連するシグナリング情報は組Ｒ０，ｔ−ｕ−τ−ｘの各送信リソースにおいて繰り返され、独立して復号されると予想され、誤りの確率ＥＢ（ｋ，Ｒ０，ｔ−ｕ−τ−ｘ）は以下のように表される。
【数１５】
0006437089.tif 000016
ただし、ｆ’’Ｂは信号＋干渉対雑音比ρの関数としてデータ誤り率を与える関数を表し、その関数は組Ｒ０，ｔ−ｕ−τ−ｘにわたって送信を実行するために使用される物理層構成の挙動モデルによって決まり、ρｋ（Ｒ０，ｔ−ｕ−τ−ｘ（ｉ））は、組Ｒ０，ｔ−ｕ−τ−ｘの中のインデックスｉによって識別される送信リソースＲ０，ｔ−ｕ−τ−ｘ（ｉ）内のインデックスｋによって識別される個別送信に関するシグナリング情報の場合に受けると予想される信号＋干渉対雑音比を表す。
【００２１】
特定の特徴によれば、インデックス値ｔによって識別されるフレームと、インデックス値ｔによって識別されるフレームに関連するシグナリング情報が送信される先行するフレームとの間のフレーム数に関する差は「１」に等しい。
【００２２】
また、本発明は、アクセスポイントと複数のモバイル端末との間でＫ個の個別送信を実行するために無線通信ネットワーク内の送信リソースを割り当てるための管理デバイスに関し、その送信は無線通信ネットワークにおいてフレームごとに行われ、後続のフレームにおいて割り当てられる送信リソースをモバイル端末が判断できるようにすることを意図したシグナリング情報が各フレームの少なくとも１つの送信リソースにおいて送信され、Ｋ個の個別送信ごとに、管理デバイスは、上記個別送信によって使用されるときに送信リソースごとに予想される信号＋干渉対雑音比を表す情報を有し、管理デバイスは、その送信リソースがシグナリング情報を送信するために使用されるときに送信リソースごとに予想される信号＋干渉対雑音比を表す情報を有する。その管理デバイスは更に、インデックス値ｔによって識別されるフレームにおいてＫ個の個別送信のための送信リソースを割り当てることを検討するときに、インデックス値ｔ−Ｗ−Ｔ＋２によって識別されるフレームからインデックス値ｔ−１によって識別されるフレームまであらかじめ割り当てられた送信リソースを表す情報を入手する手段であって、Ｗ≧１は、予め設定された第１の連続するフレーム数であり、Ｔ≧１は、予め設定された第２の連続するフレーム数である、手段と、以下の式
【数１６】
0006437089.tif 000017
を最大化するために、インデックス値ｔ−Ｗ＋１によって識別されるフレームからインデックス値ｔ−１によって識別されるフレームまでの送信リソース割当てを見直すことによって、インデックス値ｔによって識別され、Ｋ個の個別送信を実行するためのフレームにおける送信リソースと、インデックス値ｔ−ｘによって識別され、インデックス値ｔによって識別されるフレームに関連するシグナリング情報を送信するためのフレームにおける送信リソースとを割り当てる手段であって、ｘ≧１はインデックス値ｔによって識別されるフレームと、インデックス値ｔによって識別されるフレームに関連するシグナリング情報が送信される先行するフレームとの間のフレーム数に関する差を表し、Ｗ≧ｘであり、Ｐ（ｔ−ｕ）は、Ｋ個の個別送信のそれぞれにおける少なくとも１つのメッセージが、信号＋干渉対雑音比を考慮して、インデックス値ｔ−ｕ−Ｔ＋１によって識別されるフレームと、インデックス値ｔ−ｕによって識別されるフレームとの間で正しく受信される確率を表す性能指数である、手段と、その後、インデックス値ｔ−Ｗ−ｘ＋１によって識別されるフレームの送信を可能にする手段とを実現する。
【００２３】
本発明はまた、通信ネットワークからダウンロードすることができ、及び／又は処理デバイスによって読み出すことができる媒体に記憶することができる、コンピュータプログラムに関する。このコンピュータプログラムは、このプログラムが処理デバイスによって実行されたときに、管理デバイスに関連して上述した方法を実施させるための命令を含む。本発明はまた、１組の命令を含むコンピュータプログラムを記憶する情報ストレージ手段に関する。この１組の命令は、記憶された情報が上記情報ストレージ手段から読み出され、処理デバイスによって実行されたときに、管理デバイスに関連して上述した方法を実施させる。
【００２４】
管理デバイス及びコンピュータプログラムに関する特徴は、対応する上述した方法に関して既に述べたものに類似しているため、対応する利点はここでは繰り返されない。
【００２５】
本発明の特性は、実施形態の一例の以下の説明を読むことから更に明らかになり、その説明は添付の図面を参照しながら行われる。
【図面の簡単な説明】
【００２６】
【図１】本発明を実施することができる無線通信ネットワークを概略的に表す図である。
【図２Ａ】無線通信ネットワーク内で使用できるような第１のフレームフォーマットを表す概略図である。
【図２Ｂ】無線通信ネットワーク内で使用できるような第２のフレームフォーマットを表す概略図である。
【図３】無線通信ネットワークの通信デバイスのハードウェアアーキテクチャーを表す概略図である。
【図４】無線通信ネットワーク内の送信リソースを割り当てるためのアルゴリズムを表す概略図である。
【図５】送信リソース割当てを見直すためのアルゴリズムを表す概略図である。
【発明を実施するための形態】
【００２７】
本明細書において、無線通信ネットワーク内で個別送信を実行するための送信リソースを与える無線通信ネットワークが検討される。無線通信ネットワーク内の送信はフレームごとに実行される。個別送信はメッセージの形で実行される。各メッセージは単一の送信リソースにおいて送信できるか、複数の送信リソースにおいて繰り返すことができるか、又は複数の送信リソースにわたって拡散することができる。個別送信は、上記送信が互いに相関していないこと、例えば、上記個別送信のうちの１つ又は別のものが１つのフレーム内で最初に実行されるか否かに対する制約がないことを意味する。各送信リソースは２つ以上の送信に割り当てることはできないことに留意されたい。
【００２８】
図１は、本発明を実施することができる無線通信ネットワークを概略的に表す図である。
【００２９】
図１に示す無線通信ネットワークは、少なくとも１つのアクセスポイントＡＰと複数のモバイル端末とを含む複数の通信デバイスを備える。無線通信ネットワークは、好ましくは複数のＡＰを含む。２つのＡＰ１１０、１１１が図１に例示的に表されている。各モバイル端末は、その地理的ロケーションに従って１つのＡＰにアタッチされ、すなわち、上記モバイル端末がアタッチされているＡＰを介して無線通信ネットワークのサービスにアクセスする。図１において、３つのモバイル端末１２０、１２１、１２２がＡＰ１１０にアタッチされ、２つのモバイル端末１２３、１２４がＡＰ１１１にアタッチされていることが例示的に表されている。無線通信ネットワークは、セルと呼ばれるランドエリアにわたってアクティブである。無線通信ネットワークの各ＡＰはセルを管理し、このセルのランドエリア内に存在するモバイル端末が、このセルを管理している、すなわちこのモバイル端末がアタッチされているＡＰを介して無線通信ネットワークのサービスから利益を得ることを可能にする。
【００３０】
したがって、図１において、図１の実線の矢印によって表されるように、モバイル端末１２０、１２１、１２２は、ＡＰ１１０を介して無線通信ネットワーク内で通信し、モバイル端末１２３、１２４は、ＡＰ１１１を介して無線通信ネットワーク内で通信する。無線通信ネットワークは、無線通信ネットワークのサービスを実施することを可能にするために、各ＡＰに接続されたサーバー１００を更に備えることが好ましい。
【００３１】
モバイル端末１２３の観点から、ＡＰ１１０とモバイル端末１２２との間のダウンリンク及び／又はアップリンク通信が、ＡＰ１１１とモバイル端末１２３との間のダウンリンク及び／又はアップリンク通信と干渉する場合があることが図１に更に表される。モバイル端末１２２の観点から、ＡＰ１１１とモバイル端末１２３との間のダウンリンク及び／又はアップリンク通信が、ＡＰ１１０及びモバイル端末１２２からのダウンリンク及び／又はアップリンク通信と干渉する場合がある。そのような干渉は、図１において破線の矢印で表される。無線通信ネットワークにおけるダウンリンク及び／又はアップリンク通信に対するものでない他の干渉は、モバイル端末の近傍及び／又はＡＰの近傍に位置する外部干渉体の存在に起因して生じる場合がある。そのような干渉、又はノイズ若しくはパスロスには、送信のための時間及び周波数リソースを割り当てる際に周波数ホッピングを行うことにより対処することができる。周波数ホッピングは、周波数リソース使用の観点で多様性を提供し、送信が狭帯域干渉に対しロバストになることを可能にする。
【００３２】
「ダウンリンク通信」という表現は、本明細書において、当業者によって一般的に理解されるように、検討されるアクセスポイントから検討されるモバイル端末への通信を指す。「アップリンク通信」という表現は、本明細書において、当業者によって一般的に理解されるように、検討されるモバイル端末から検討されるアクセスポイントへの通信を指す。
【００３３】
サーバー１００は、無線通信ネットワーク内の送信リソースの割り当ての実行を担当する。これを達成するために、サーバー１００は、ＡＰ１１０、１１１と通信し、割り当て要求を受信して処理する。一変形形態では、送信リソースの割り当てはサーバー１００によって実行されるのではなく、ＡＰ１１０、１１１自体によって実行される。
【００３４】
無線通信ネットワークにおける時間及び周波数リソースの割り当ての実行を担当するデバイス、すなわちＡＰ又はサーバー１００は、管理デバイスと呼ぶことができる。
【００３５】
ＡＰと、ＡＰにそれぞれアタッチされたモバイル端末との間の送信は、個別送信、すなわち、相関していない送信とみなされる。
【００３６】
例示的な方式では、本明細書において検討されるモバイル端末は、ＡＰ１１０、１１１がエッジに位置する鉄道路線上で運行を実行する列車内に設置される通信デバイスとすることができる。
【００３７】
無線通信ネットワーク内の送信はフレームごとに行われる。図２Ａ及び図２Ｂは、ＡＰ１１０等のＡＰと、そのＡＰにアタッチされる複数のモバイル端末との間でデータを送信するために使用することができる２つの代替のフレームフォーマットを提供する。図２Ａ及び図２Ｂにおいて表されるフレームフォーマットは、例示的には、送信リソースとして時間リソース及び周波数リソースを使用することに基づく。
【００３８】
いずれのフレームフォーマットが使用されるにしても、任意のペイロードフィールド（後述の説明において、図２Ａ及び図２Ｂに関して定義する）に含まれるシグナリング情報は、（そのシグナリング情報が送信されるフレームと比べて）後続のフレームのための送信リソース割当てに関連する。そのシグナリング情報を含むフレームと、そのシグナリング情報が関連するフレームとの間のフレーム数に関する差ｘはあらかじめ規定され、そのシグナリング情報を送信するＡＰにアタッチされるモバイル端末によって知られている。好ましい実施形態では、ｘ＝１であり、それは、任意のペイロードフィールドに含まれるシグナリング情報が、直後のフレームのための送信リソース割当てに関連することを意味する。
【００３９】
図２Ａは、無線通信ネットワーク内で使用できるような第１のフレームフォーマットを概略的に表す。第１のフレームフォーマットは本明細書においてハイブリッドモードと呼ばれる。
【００４０】
第１のフレームフォーマットでは、フレームはシグナリング情報専用の固定フィールド２０１で開始する。固定フィールド２０１は、固定フィールド２０１が存在するフレームに適用されるシグナリング情報を含むことが意図されている。固定フィールド２０１は少なくとも１つの予め設定された周波数にわたって送信され、その周波数は検討対象のＡＰにアタッチされる各モバイル端末によっても知られている。固定フィールド２０１はシグナリング情報を含むので（ブロードキャストモード）、その固定フィールド２０１は、その固定フィールド２０１を送信するＡＰにアタッチされる各モバイル端末によって受信されることが意図されている。それゆえ、そのＡＰにアタッチされた１つ又は複数のモバイル端末によって固定フィールド２０１が受信されないリスクを制限するために、そのＡＰは妥当な変調及びコーディング方式を適用する。
【００４１】
第１のフレームフォーマットでは更に、フレームは１組のＮ個のペイロードフィールド２１０、２１１、２１２で継続する。ただし、Ｎ≧２である。各ペイロードフィールド２１０、２１１、２１２は、時間リソースに対応する持続時間を有する。検討対象のフレーム周期において使用される時間リソースごとに、フレーム内に１つのペイロードフィールドが存在する。各ペイロードフィールド２１０、２１１、２１２は、Ｋ個の個別送信のいずれかの個別送信の範囲内でのデータ送信に専用であるか、又は更なるシグナリングデータの送信に専用である。詳細について後述されるように、Ｋ個の個別送信のいずれかは、検討対象のフレーム内で送信リソースを割り当てられない場合があるか、１つの送信リソースを割り当てられる場合があるか、又は複数の送信リソースを割り当てられる場合がある。しかしながら、各フレームは、１つ又は複数のペイロードフィールド内にシグナリング情報を含む。
【００４２】
第１の実施形態では、各フレーム周期がダウンリンク通信専用であると考えるとき、検討対象のＡＰにアタッチされる各モバイル端末が任意のペイロードフィールドに含まれるデータがそのモバイル端末に宛てられたか否かを判断できるようにするために、各ペイロードフィールド２１０、２１１、２１２は、Ｋ個の個別送信の中の関連する個別送信の識別子を含む。それゆえ、シグナリング情報は、検討対象のフレーム周期に適用可能な周波数ホッピングシーケンスを送信することにある。検討対象のペイロードフィールド２１０、２１１、２１２がシグナリング情報を含むとき、そのペイロードフィールドは、そのペイロードフィールドがシグナリング情報を含むことを示すために予約される識別子を含む。それゆえ、１つ又は複数のペイロードフィールド２１０、２１１、２１２に含まれるシグナリング情報は、１つ又は複数のペイロードフィールド２１０、２１１、２１２に含まれるシグナリング情報が関連するフレームの固定フィールド２０１において送信されるシグナリング情報の別の事例とすることができる。１つ又は複数のペイロードフィールド２１０、２１１、２１２に含まれるシグナリング情報は、１つの変形形態では、１つ又は複数のペイロードフィールド２１０、２１１、２１２に含まれるシグナリング情報が関連するフレームの固定フィールド２０１において送信されるシグナリング情報を補足することができる。
【００４３】
第２の実施形態では、シグナリング情報が関連するフレーム周期の少なくとも１つの時間リソースに対して、そのシグナリング情報は、その時間リソースが割り当てられるＫ個の個別送信の中の個別送信を表す識別子に関連して、その時間リソースがダウンリンク通信に使用されることを意図しているか、又はアップリンク通信に使用されることを意図しているかを示す。それゆえ、１つ又は複数のペイロードフィールド２１０、２１１、２１２に含まれるシグナリング情報は、１つ又は複数のペイロードフィールド２１０、２１１、２１２に含まれるシグナリング情報が関連するフレームの固定フィールド２０１において送信されるシグナリング情報の別の事例とすることができる。１つ又は複数のペイロードフィールド２１０、２１１、２１２に含まれるシグナリング情報は、１つの変形形態では、１つ又は複数のペイロードフィールド２１０、２１１、２１２に含まれるシグナリング情報が関連するフレームの固定フィールド２０１において送信されるシグナリング情報を補足することができる。
【００４４】
図２Ｂは、無線通信ネットワーク内で使用できるような第２のフレームフォーマットを概略的に表す。第２のフレームフォーマットは本明細書において動的モードと呼ばれる。
【００４５】
第２のフレームフォーマットでは、フレームが１組のＮ個のフィールド２５０、２５１、２５２、２５３で直接開始する。それは、図２Ａに示される第１のフレームフォーマットと比べて、フレームの先頭に固定されたシグナリングフィールドが存在しないことを意味する。それゆえ、シグナリング情報は１つ又は複数のペイロードフィールド２５０、２５１、２５２、２５３内に含まれる。図２Ａに示される第１のフレームフォーマットの場合と同様に、各ペイロードフィールド２５０、２５１、２５２、２５３は、時間リソースに対応する持続時間を有する。検討対象のフレーム周期内で使用される時間リソースごとに、フレーム内に１つのペイロードフィールドが存在する。各ペイロードフィールド２５１、２５２、２５３は、Ｋ個の個別送信のいずれかの個別送信の範囲内でのデータ送信に専用であるか、又はシグナリングデータの送信に専用である。後に詳述されるように、Ｋ個の個別送信のいずれかは、検討対象のフレーム内で送信リソースを割り当てられない場合があるか、１つの送信リソースを割り当てられる場合があるか、又は複数の送信リソースを割り当てられる場合がある。しかしながら、各フレームは、１つ又は複数のペイロードフィールド内にシグナリング情報を含む。
【００４６】
第１の実施形態では、検討対象のフレーム周期がダウンリンク通信に専用であると考えるとき、検討対象のＡＰにアタッチされる各モバイル端末が、任意のペイロードフィールドに含まれるデータがそのモバイル端末に宛てられたか否かを判断できるようにするために、各ペイロードフィールド２５０、２５１、２５２、２５３は、Ｋ個の個別送信の中の検討対象の個別送信の識別子を含む。検討対象のペイロードフィールドがシグナリング情報を含むとき、そのペイロードフィールドは、そのペイロードフィールドがシグナリング情報を含むことを示すために予約された識別子を含む。
【００４７】
第２の実施形態では、１つのペイロードフィールド２５０、２５１、２５２、２５３に含まれるシグナリング情報は、そのシグナリング情報が関連するフレーム周期の少なくとも１つの時間リソースの場合に、その時間リソースが割り当てられるＫ個の個別送信の中の個別送信を表す識別子に関連して、その時間リソースがダウンリンク通信に使用されることを意図しているか、又は、アップリンク通信に使用されることを意図しているかを示す。
【００４８】
図３は、無線通信ネットワークの通信デバイス３５０を概略的に表す。通信デバイス３５０は、ＡＰ１１０等のＡＰの表現、及び／又はモバイル端末１２０等のモバイル端末の表現、及び／又はサーバー１００の表現とすることができる。
【００４９】
図示されるアーキテクチャーによれば、通信デバイス３５０は通信バス３１０によって相互接続される以下の構成要素を備える：プロセッサ、マイクロプロセッサ、マイクロコントローラー又はＣＰＵ（中央処理ユニット）３００；ＲＡＭ（ランダムアクセスメモリ）３０１；ＲＯＭ（リードオンリーメモリ）３０２；ＨＤＤ（ハードディスクドライブ）若しくはＳＤ（セキュアデジタル）カードリーダー３０３又は記憶手段に記憶された情報を読み出すように構成される任意の他のデバイス；少なくとも１つの通信インターフェース３０４の組。
【００５０】
少なくとも１つの通信インターフェース３０４の組によって、通信デバイスが、無線通信ネットワークの少なくとも１つの他の通信デバイスと通信することが可能になる。
【００５１】
ＣＰＵ３００は、ＲＯＭ３０２から、又は、ＳＤカード等の外部メモリから、ＲＡＭ３０１の中にロードされる命令を実行することができる。通信デバイス３５０が起動された後に、ＣＰＵ３００は、ＲＡＭ３０１から命令を読み出し、これらの命令を実行することができる。それらの命令は１つのコンピュータプログラムを形成し、そのプログラムによって、ＣＰＵ３００は、したがって、すなわち、通信デバイス３５０は、以下に説明されるアルゴリズムのステップのうちの幾つか又は全てを実行する。
【００５２】
以下に説明されるアルゴリズムのありとあらゆるステップは、ＰＣ（パーソナルコンピュータ）、ＤＳＰ（デジタルシグナルプロセッサ）、マイクロコントローラー等のプログラム可能な計算機（programmable computing machine）によって１組の命令若しくはプログラムを実行することによってソフトウェアにおいて実施することができるか、又は、ＦＰＧＡ（フィールドプログラマブルゲートアレイ）、ＡＳＩＣ（特定用途向け集積回路）等の機械若しくは専用構成要素によってハードウェアにおいて実現することができる。
【００５３】
図４は、無線通信ネットワーク内の送信リソースを割り当てるために管理デバイスによって実行されるアルゴリズムを概略的に表す。
【００５４】
図４のアルゴリズムの範囲内で、Ｋ個の個別送信ごとに、管理デバイスは、その個別送信によって使用されるときに送信リソースごとに予想される信号＋干渉対雑音比を表す情報を有すると考えられる。さらに、管理デバイスは、送信リソースごとに、シグナリング情報を送信するために使用されるときに、（モバイル端末の観点から）予想される信号＋干渉対雑音比を表す情報を有する。
【００５５】
ダウンリンク通信の場合、信号＋干渉対雑音比は、検討対象の（検討対象の送信が宛てられる）モバイル端末によって感知されると予想されるような、有用な信号電力及び干渉レベルを、そのモバイル端末の場所を考慮して、送信リソースごとに特徴付けることを可能にするデータである。そのような有用な信号電力及び干渉レベルは、モバイル端末によって実行されるダウンリンク測定から得ることができる。例えば、その測定値は、所与の場所における所与の送信リソース上の受信信号電力であるか、又は、短期信号＋干渉対雑音比を推定することができ、それゆえ、短期信号＋干渉対雑音比を平均することによって長期信号＋干渉対雑音比を得ることができるフレーム誤り率、のいずれかである。
【００５６】
アップリンク通信の場合、信号＋干渉対雑音比は、モバイル端末から信号を受信するときに検討対象のＡＰによって感知されると予想されるような、有用な信号電力及び干渉レベルを、そのモバイル端末の場所を考慮して、送信リソースごとに特徴付けることを可能にするデータである。そのような有用な信号電力及び干渉レベルは、ＡＰによって実行される測定から得ることができる。例えば、各測定値は、所与のモバイル端末場所において所与の送信リソースを介して受信された信号電力である。この測定値はフレーム誤り率とすることができ、このフレーム誤り率から、短期信号＋干渉対雑音比を推定することができ、それゆえ、短期信号＋干渉対雑音比を平均することによって長期信号＋干渉対雑音比を得ることができる。
【００５７】
代替的には、ダウンリンク通信、アップリンク通信のいずれの場合でも、ＡＰとモバイル端末との間の通信プロトコルにおいてＡＣＫ／ＮＡＣＫ（応答確認／非応答確認：Acknowledgement/Non-Acknowledgement）機構が実施されるとき、信号＋干渉対雑音比を求めるために、応答確認の統計値に頼ることができる。
【００５８】
好ましい実施形態では、処理デバイスは、データベースに記憶される長期信号＋干渉対雑音比のフィンガープリントマップからそのような有用な信号及び干渉レベルを求め、長期信号＋干渉対雑音比のフィンガープリントマップは、検討対象のＡＰによって管理されるセル内のモバイル端末の先行する行程中に観測された有用な信号電力及び干渉レベルから構築される。
【００５９】
ステップＳ４０１において、管理デバイスは、インデックス値ｔによって識別されるフレームにおいてＫ個の個別送信のための送信リソースを割り当てることを検討する。
【００６０】
後続のステップＳ４０２において、管理デバイスは、インデックス値ｔ−Ｗ−Ｔ＋２によって識別されるフレームからインデックス値ｔ−１によって識別されるフレームまであらかじめ割り当てられた送信リソースを表す情報を入手する。ただし、Ｗ≧１は、予め設定された第１の連続するフレーム数であり、Ｔ≧１は、予め設定された第２の連続するフレーム数である。インデックス値ｔ−Ｗ＋１によって識別されるフレームからインデックス値ｔ−１によって識別されるフレームまでの複数のフレームは、あらかじめ実行された送信リソース割当てを管理デバイスが変更することができるサイズＷの作業窓を形成する。インデックス値ｔ−Ｗ−Ｔ＋２によって識別されるフレームからインデックス値ｔ−Ｗによって識別されるフレームまでの送信リソース割当てを知ることは、後に詳述されるように、性能指数計算を実行できるようにするために必要とされる。任意の一連のＴフレームにおいて個別送信あたり少なくとも１つのメッセージが送信されると仮定されるような値Ｔが規定される。
【００６１】
それは、インデックス値ｔ−Ｗ＋１によって識別されるフレームの送信が、インデックス値ｔによって識別されるフレームのための送信リソース割当てが少なくとも一度実行される前に実行できない（後に見直される場合がある）ことを意味する。なぜなら、管理デバイスはそのインデックス値ｔ−Ｗ＋１によって識別されるフレームについて、あらかじめ実行された送信リソース割当てを変更する場合があるためである。インデックス値ｔ−Ｗ＋１によって識別されるフレームのシグナリング情報はインデックス値ｔ−Ｗ−ｘ＋１によって識別されるフレームにおいて少なくとも部分的に与えられるので、それは、インデックス値ｔ−Ｗ−ｘ＋１によって識別されるフレームの送信が、インデックス値ｔによって識別されるフレームのための送信リソース割当てが少なくとも一度実行される前に実行できない（そして、後に見直される場合がある）ことも意味する。なぜなら、管理デバイスが、インデックス値ｔ−Ｗ−ｘ＋１によって識別されるフレームにおいてシグナリング情報を送信する前にインデックス値ｔ−Ｗ＋１によって識別されるフレームのための実効的な送信リソース割当てを知る必要があるためである。
【００６２】
後続のステップＳ４０３において、管理デバイスは、以下の式
【数１７】
0006437089.tif 000018
を最大化するために、インデックス値ｔ−Ｗ＋１によって識別されるフレームからインデックス値ｔ−１によって識別されるフレームまでの送信リソース割当てを見直すことによって、インデックス値ｔによって識別され、Ｋ個の個別送信を実行するためのフレームにおける送信リソースと、インデックス値ｔ−ｘによって識別され、インデックス値ｔによって識別されるフレームに関連するシグナリング情報を送信するためのフレームにおける少なくとも１つの送信リソースとを割り当てる。ただし、Ｐ（ｔ−ｕ）は、Ｋ個の個別送信のそれぞれにおける少なくとも１つのメッセージが、信号＋干渉対雑音比を考慮して、インデックス値ｔ−ｕ−Ｔ＋１によって識別されるフレームと、インデックス値ｔ−ｕによって識別されるフレームとの間で正しく受信される確率を表す性能指数であり、Ｔ≧１は、予め設定された第２の連続するフレーム数である。したがって、インデックス値ｔ−Ｔ＋１によって識別されるフレームからインデックス値ｔによって識別されるフレームまでの複数のフレームは、性能指数Ｐ（ｔ）を求めるために管理デバイスによって使用されるサイズＴの処理窓を形成する。
【００６３】
予め設定された第２の連続するフレーム数Ｔは、予め設定された第１の連続するフレーム数Ｗより少ないか、等しいか、又は多い場合がある。両方の数は実際には独立している。
【００６４】
動的モードでは、性能指数Ｐ（ｔ−ｕ）は以下のように定義することができる。
【数１８】
0006437089.tif 000019
ただし、ＥＭ（ｋ，Ｒｋ，ｔ−ｕ−τ）は、インデックス値ｔ−ｕ−τによって識別されるフレームにおいて送信リソース組Ｒｋ，ｔ−ｕ−τ（それは空の場合もある）を使用することによって、（Ｋ個の個別送信の中からの）インデックス値ｋによって識別される個別送信において受ける誤りの確率を表し、ＥＢ（ｋ，Ｒ０，ｔ−ｕ−τ−ｘ）は、インデックス値ｔ−ｕ−τ−ｘによって識別されるフレームにおいて少なくとも１つの送信リソースの組Ｒ０，ｔ−ｕ−τ−ｘを用いて送信される、インデックス値ｋによって識別される個別送信に関連する（それゆえ、インデックス値「０」によって識別される）シグナリング情報において受ける誤りの確率を表す。送信リソース組Ｒｋ，ｔ−ｕ−τが空であるとき、誤りの確率ＥＭ（ｋ，Ｒｋ，ｔ−ｕ−τ）は取り決めにより「１」に等しい。
【００６５】
ハイブリッドモードでは、性能指数Ｐ（ｔ−ｕ）は以下のように定義することができる。
【数１９】
0006437089.tif 000020
ただし、以下の式が成り立つ。
【数２０】
0006437089.tif 000021
ただし、
【数２１】
0006437089.tif 000022
は、インデックス値ｔ−ｕ−τによって識別されるフレームの固定フィールド２０１において送信される、インデックス値ｋによって識別される個別送信に関連するシグナリング情報において受ける誤りの確率を（その個別送信が宛てられるモバイル端末の観点から）表す。
【００６６】
【数２２】
0006437089.tif 000023
であるような総合性能指数Ｆ（ｔ）を定義する。
【００６７】
誤りの確率ＥＭ（ｋ，Ｒｋ，ｔ−ｕ−τ）の特定の実施態様によれば、インデックス値ｋによって識別される個別送信のためのインデックス値ｔ−ｕ−τによって識別されるフレームにおいて送信されることになる各メッセージは、組Ｒｋ，ｔ−ｕ−τにわたって拡散され、誤りの確率ＥＭ（ｋ，Ｒｋ，ｔ−ｕ−τ）は以下のように表される。
【数２３】
0006437089.tif 000024
ただし、ρｋ（Ｒｋ，ｔ−ｕ−τ（ｉ））は、組Ｒｋ，ｔ−ｕ−τの中のインデックスｉによって識別される送信リソースＲｋ，ｔ−ｕ−τ（ｉ）内の（インデックス値ｋによって識別される個別送信の）上記メッセージの場合に受けると予想される信号＋干渉対雑音比を表し、それは、｛ρ（Ｒｋ，ｔ−ｕ−τ（ｉ））｝ｉがインデックス値ｋによって識別される個別送信のための送信リソースの組Ｒｋ，ｔ−ｕ−τの場合の信号＋干渉対雑音比を表すことを意味し、ｆＭは１組の信号＋干渉対雑音比｛ρ｝の関数としてデータ誤り率を与える多変数関数であり、その関数は組Ｒｋ，ｔ−ｕ−τにわたって送信を実行するために使用される物理層構成（誤り訂正符号率、変調方式、．．．）の挙動モデルによって決まる。関数ｆＭの定義は通常、離散的な１組の信号対雑音比値のためのコンピュータシミュレーションを実行し、その結果をルックアップテーブル（ＬＵＴ）形式に記憶することによって得られ、ｆＭ（｛ρ｝）を得るために、その後、離散的な１組の信号対雑音比値が補間される。別の手法は、１組の信号＋干渉対雑音比｛ρ｝を最初に等価信号＋干渉対雑音比ρ’に変換し、例えば、離散的な１組の信号対雑音比値のためのコンピュータシミュレーションを実行し、その結果をルックアップテーブル（ＬＵＴ）形式に記憶することによって得られた単変数関数
【数２４】
0006437089.tif 000025
を使用することであり、
【数２５】
0006437089.tif 000026
を得るために、その後、離散的な１組の信号対雑音比値が補間されるが、
【数２６】
0006437089.tif 000027
の形をとる
【数２７】
0006437089.tif 000028
の理論的近似に頼ることもできる。ただし、λＭ及びθＭはチューニングパラメータであり、Ｑはマーカムの関数を表す。
【００６８】
誤りの確率ＥＭ（ｋ，Ｒｋ，ｔ−ｕ−τ）の別の特定の実施態様によれば、インデックス値ｋによって識別される個別送信のためのインデックス値ｔ−ｕ−τによって識別されるフレームにおいて送信されることになる各メッセージは、１つの送信リソースにおいて唯一送信され、誤りの確率ＥＭ（ｋ，Ｒｋ，ｔ−ｕ−τ）は以下のように表される。
【数２８】
0006437089.tif 000029
ただし、ρｋ（Ｒｋ，ｔ−ｕ−τ（ｉ））は、組Ｒｋ，ｔ−ｕ−τの中のインデックスｉによって識別される送信リソースＲｋ，ｔ−ｕ−τ（ｉ）内の（インデックス値ｋによって識別される個別送信の）メッセージの場合に受けると予想される信号＋干渉対雑音比を表し、ｆ’Ｍは信号＋干渉対雑音比ρの関数としてデータ誤り率を与える関数を表し、その関数は組Ｒｋ，ｔ−ｕ−τにわたって送信を実行するために使用される物理層構成（誤り訂正符号率、変調方式、．．．）の挙動モデルによって決まる。関数ｆ’Ｍの定義は、上記の関数
【数２９】
0006437089.tif 000030
の定義と同じようにして得られる。
【数３０】
0006437089.tif 000031
の形のｆ’Ｍの理論的近似に頼る場合、両方の場合に異なる変調及び／又はコーディング方式が使用されるとき、チューニングパラメータλ’Ｍ及びθ’Ｍはそれぞれ上記のチューニングパラメータλＭ及びθＭとは異なる。そうでない場合には、チューニングパラメータλ’Ｍ及びθ’Ｍはそれぞれ上記のチューニングパラメータλＭ及びθＭに等しい。
【００６９】
誤りの確率ＥＭ（ｋ，Ｒｋ，ｔ−ｕ−τ）の更に別の特定の実施態様によれば、インデックス値ｋによって識別される個別送信のためのインデックス値ｔ−ｕ−τによって識別されるフレームにおいて送信されることになる各メッセージは、組Ｒｋ，ｔ−ｕ−τの各送信リソース内で繰り返され、共同で復号されると予想され、誤りの確率ＥＭ（ｋ，Ｒｋ，ｔ−ｕ−τ）は以下のように表される。
【数３１】
0006437089.tif 000032
ただし、ρｋ（Ｒｋ，ｔ−ｕ−τ（ｉ））は、組Ｒｋ，ｔ−ｕ−τの中のインデックスｉによって識別される送信リソースＲｋ，ｔ−ｕ−τ（ｉ）内の（インデックス値ｋによって識別される個別送信の）メッセージの場合に受けると予想される信号＋干渉対雑音比を表し、ｆ’’Ｍは信号＋干渉対雑音比ρの関数としてデータ誤り率を与える関数を表し、その関数は組Ｒｋ，ｔ−ｕ−τにわたって送信を実行するために使用される物理層構成（誤り訂正符号率、変調方式、．．．）の挙動モデルによって決まる。関数ｆ’’Ｍの定義は、上記の関数
【数３２】
0006437089.tif 000033
の定義と同じようにして得られる。
【数３３】
0006437089.tif 000034
の形のｆ’’Ｍの理論的近似に頼る場合、両方の場合に異なる変調及び／又はコーディング方式が使用されるとき、チューニングパラメータλ’’Ｍ及びθ’’Ｍはそれぞれ上記のチューニングパラメータλＭ及びθＭとは異なる。そうでない場合には、チューニングパラメータλ’’Ｍ及びθ’’Ｍはそれぞれ上記のチューニングパラメータλＭ及びθＭに等しい。
【００７０】
誤りの確率ＥＭ（ｋ，Ｒｋ，ｔ−ｕ−τ）の更に別の特定の実施態様によれば、インデックス値ｋによって識別される個別送信のためのインデックス値ｔ−ｕ−τによって識別されるフレームにおいて送信されることになる各メッセージは、組Ｒｋ，ｔ−ｕ−τの各送信リソース内で繰り返され、独立して復号されると予想され、誤りの確率ＥＭ（ｋ，Ｒｋ，ｔ−ｕ−τ）は以下のように表される。
【数３４】
0006437089.tif 000035
ただし、ρｋ（Ｒｋ，ｔ−ｕ−τ（ｉ））は、組Ｒｋ，ｔ−ｕ−τの中のインデックスｉによって識別される送信リソースＲｋ，ｔ−ｕ−τ（ｉ）内の（インデックス値ｋによって識別される個別送信の）メッセージの場合に受けると予想される信号＋干渉対雑音比を表し、ｆ’’’Ｍは信号＋干渉対雑音比ρの関数としてデータ誤り率を与える関数を表し、その関数は組Ｒｋ，ｔ−ｕ−τにわたって送信を実行するために使用される物理層構成（誤り訂正符号率、変調方式、．．．）の挙動モデルによって決まる。関数ｆ’’’Ｍの定義は、上記の関数
【数３５】
0006437089.tif 000036
の定義と同じようにして得られる。
【数３６】
0006437089.tif 000037
の形のｆ’’’Ｍの理論的近似に頼る場合、両方の場合に異なる変調及び／又はコーディング方式が使用されるとき、チューニングパラメータλ’’’Ｍ及びθ’’’Ｍはそれぞれ上記のチューニングパラメータλＭ及びθＭとは異なる。そうでない場合には、チューニングパラメータλ’’’Ｍ及びθ’’’Ｍはそれぞれ上記のチューニングパラメータλＭ及びθＭに等しい。
【００７１】
誤りの確率ＥＢ（ｋ，Ｒ０，ｔ−ｕ−τ−ｘ）の特定の実施形態によれば、インデックス値ｔ−ｕ−τ−ｘによって識別されるフレームにおいて送信されることになり、インデックス値ｔ−ｕ−τによって識別されるフレームに関連するシグナリング情報は１つの送信リソースにおいて唯一送信され、誤りの確率ＥＢ（ｋ，Ｒ０，ｔ−ｕ−τ−ｘ）は以下のように表される。
【数３７】
0006437089.tif 000038
ただし、ρｋ（Ｒｋ，ｔ−ｕ−τ−ｘ（ｉ））は、組Ｒ０，ｔ−ｕ−τ−ｘの中のインデックスｉによって識別される送信リソースＲ０，ｔ−ｕ−τ−ｘ（ｉ）における、インデックス値ｋによって識別される個別送信に関するシグナリング情報の場合に受けると予想される信号＋干渉対雑音比を（その個別送信が宛てられるモバイル端末の観点から）表し、ｆＢは信号＋干渉対雑音比ρの関数としてデータ誤り率を与える関数を表し、その関数は組Ｒ０，ｔ−ｕ−τ−ｘにわたって送信を実行するために使用される物理層構成（誤り訂正符号率、変調方式、．．．）の挙動モデルによって決まる。関数ｆＢの定義は、上記の関数
【数３８】
0006437089.tif 000039
の定義と同じようにして得られる。
【数３９】
0006437089.tif 000040
の形のｆＢの理論的近似に頼る場合において、両方の場合に異なる変調及び／又はコーディング方式が使用されるとき、チューニングパラメータλＢ及びθＢはそれぞれ上記のチューニングパラメータλＭ及びθＭとは異なり、それは通常、シグナリング情報が一般的にユーザデータよりロバストな方法で送信されるので当然である。そうでない場合には、チューニングパラメータλＢ及びθＢはそれぞれ上記のチューニングパラメータλＭ及びθＭに等しい。
【００７２】
誤りの確率ＥＢ（ｋ，Ｒ０，ｔ−ｕ−τ−ｘ）の別の特定の実施形態によれば、インデックス値ｔ−ｕ−τ−ｘによって識別されるフレームにおいて送信されることになり、インデックス値ｔ−ｕ−τによって識別されるフレームに関連するシグナリング情報は組Ｒ０，ｔ−ｕ−τ−ｘの各送信リソースにおいて繰り返され、共同で復号されると予想され、誤りの確率ＥＢ（ｋ，Ｒ０，ｔ−ｕ−τ−ｘ）は以下のように表される。
【数４０】
0006437089.tif 000041
ただし、ρｋ（Ｒ０，ｔ−ｕ−τ−ｘ（ｉ））は、組Ｒ０，ｔ−ｕ−τの中のインデックスｉによって識別される送信リソースＲ０，ｔ−ｕ−τ−ｘ（ｉ）における、インデックス値ｋによって識別される個別送信に関するシグナリング情報の場合に受けると予想される信号＋干渉対雑音比を（その個別送信が宛てられるモバイル端末の観点から）表し、ｆ’Ｂは信号＋干渉対雑音比ρの関数としてデータ誤り率を与える関数を表し、その関数は組Ｒ０，ｔ−ｕ−τ−ｘにわたって送信を実行するために使用される物理層構成（誤り訂正符号率、変調方式、．．．）の挙動モデルによって決まる。関数ｆ’Ｂの定義は、上記の関数ｆＢの定義と同じようにして得られる。
【数４１】
0006437089.tif 000042
の形のｆ’Ｂの理論的近似に頼る場合、両方の場合に異なる変調及び／又はコーディング方式が使用されるとき、チューニングパラメータλ’Ｂ及びθ’Ｂはそれぞれ上記のチューニングパラメータλＢ及びθＢとは異なる。そうでない場合には、チューニングパラメータλ’Ｂ及びθ’Ｂはそれぞれ上記のチューニングパラメータλＢ及びθＢに等しい。
【００７３】
誤りの確率ＥＢ（ｋ，Ｒ０，ｔ−ｕ−τ−ｘ）の更に別の特定の実施形態によれば、インデックス値ｔ−ｕ−τ−ｘによって識別されるフレームにおいて送信されることになり、インデックス値ｔ−ｕ−τによって識別されるフレームに関連するシグナリング情報は組Ｒ０，ｔ−ｕ−τ−ｘの各送信リソースにおいて繰り返され、独立して復号されると予想され、誤りの確率ＥＢ（ｋ，Ｒ０，ｔ−ｕ−τ−ｘ）は以下のように表される。
【数４２】
0006437089.tif 000043
ただし、ρｋ（Ｒ０，ｔ−ｕ−τ−ｘ（ｉ））は、組Ｒｋ，ｔ−ｕ−τ−ｘの中のインデックスｉによって識別される送信リソースＲ０，ｔ−ｕ−τ−ｘ（ｉ）における、インデックス値ｋによって識別される個別送信に関するシグナリング情報の場合に受けると予想される信号＋干渉対雑音比を（その個別送信が宛てられるモバイル端末の観点から）表し、ｆ’’Ｂは信号＋干渉対雑音比ρの関数としてデータ誤り率を与える関数を表し、その関数は組Ｒ０，ｔ−ｕ−τ−ｘにわたって送信を実行するために使用される物理層構成（誤り訂正符号率、変調方式、．．．）の挙動モデルによって決まる。関数ｆ’’Ｂの定義は、上記の関数ｆＢの定義と同じようにして得られる。
【数４３】
0006437089.tif 000044
の形のｆ’’Ｂの理論的近似に頼る場合、両方の場合に異なる変調及び／又はコーディング方式が使用されるとき、チューニングパラメータλ’’Ｂ及びθ’’Ｂはそれぞれ上記のチューニングパラメータλＢ及びθＢとは異なる。そうでない場合には、チューニングパラメータλ’’Ｂ及びθ’’Ｂはそれぞれ上記のチューニングパラメータλＢ及びθＢに等しい。
【００７４】
インデックス値ｔ−Ｗ＋１によって識別されるフレームからインデックス値ｔ−１によって識別されるフレームまで割り当てられる送信リソースを見直すための実施形態が、図５に関して後に詳述される。
【００７５】
後続のステップＳ４０４において、管理デバイスは、インデックス値ｔ−Ｗ＋１によって識別されるフレームの場合に、ステップＳ４０３において実行された見直し動作から生じる送信リソース割当てを凍結する。それゆえ、インデックス値ｔ−Ｗ−ｘ＋１によって識別されるフレームにおいて送信され、インデックス値ｔ−Ｗ＋１によって識別されるフレームに関連するシグナリング情報の内容が規定される。その後、管理デバイスは、インデックス値ｔ−Ｗ−ｘ＋１によって識別されるフレームを送信できるようにする。それは、管理デバイスが、インデックス値ｔ−Ｗ−ｘ＋１によって識別されるフレームの送信が必要になる前に、インデックス値ｔによって識別されるフレームのための送信リソース割当てを検討し始めることを意味する。
【００７６】
後続のステップＳ４０５において、管理デバイスは、インデックス値ｔ＋１によって識別されるフレームに移動し、すなわち、管理デバイスは、インデックス値ｔ＋１によって識別されるフレームのための送信リソース割当てを検討し始め、インデックス値ｔによって識別されるフレームの代わりに、インデックス値ｔ＋１によって識別されるフレームで、ステップＳ４０２からアルゴリズムを繰り返す。
【００７７】
図５は、送信リソース割当てを見直すために、管理デバイスによって実行されるアルゴリズムを概略的に表す。図５のアルゴリズムの開始時に、管理デバイスは、インデックス値ｔによって識別されるフレームのための送信リソースを初めて割り当てることを検討する。
【００７８】
ステップＳ５０１において、管理デバイスは、インデックス値ｔ−Ｗ−Ｔ＋２によって識別されるフレームからインデックス値ｔ−１によって識別されるフレームまであらかじめ割り当てられる送信リソースを表す情報を入手する。このステップＳ５０１は、図４に関して既に説明されているステップＳ４０２に対応する。これまでに、インデックス値ｔによって識別されるフレームに対応するフレーム周期内の送信リソースは割り当てられていない。
【００７９】
後続のステップＳ５０２において、管理デバイスは、Ｋ個の個別送信のうちの少なくとも１つに、インデックス値ｔによって識別されるフレームの全ての送信リソースを、例えば、恣意的に割り当てる。しかしながら、管理デバイスは、インデックス値ｔによって識別されるフレーム内にシグナリング情報を将来に挿入するために、インデックス値ｔによって識別されるフレーム内の少なくとも１つの送信リソースを割り当てることができる。しかしながら、このシグナリング情報のためのインデックス値ｔによって識別されるフレーム内のこの割当ては、総合性能指数Ｆ（ｔ）の計算において考慮に入れられない。なぜなら、このシグナリング情報は、インデックス値ｔ＋ｘによって識別されるフレームの送信リソース割当てに関連するためである。インデックス値ｔによって識別されるフレームに関連するシグナリング情報をインデックス値ｔ−ｘによって識別されるフレームに挿入するために、管理デバイスがこのシグナリング情報を挿入するために少なくとも１つの送信リソースをあらかじめ割り当てていない限り、管理デバイスは、その後、Ｋ個の個別送信のうちの少なくとも１つのためにインデックス値ｔ−ｘによって識別されるフレームにおいてあらかじめ実行された割当てから、少なくとも１つの送信リソースを除去する。
【００８０】
後続のステップＳ５０３において、管理デバイスは、ステップＳ５０２から生じる送信リソース割当てに従って、各性能指数Ｐ（ｔ−ｕ）を計算する。ただし、ｕは０〜Ｗ−１の値をとる。それに応じて、管理デバイスは総合性能指数Ｆ（ｔ）を計算する。
【００８１】
後続のステップＳ５０４において、管理デバイスは、インデックス値ｔ−Ｗ＋１によって識別されるフレームからインデックス値ｔによって識別されるフレームまでの送信リソース割当てを、その送信リソース割当ての場合に得られた各性能指数Ｐ（ｔ−ｕ）及び総合性能指数Ｆ（ｔ）に関連付けて記憶する。
【００８２】
後続のステップＳ５０５において、管理デバイスは、停止条件に達したか否かをチェックする。そのような停止条件は、図５のアルゴリズムが永久にループするのを防ぐ。そのような停止条件は、例えば、図５の実行の開始から、予め設定された持続時間が満了することである。別の例によれば、そのような停止条件は、図５のアルゴリズムの１回の実行内に、ステップＳ５０５の反復数に達したことである。別の例によれば、そのような停止条件は、送信リソース割当て変更の予め設定された連続した評価回数後に（ステップＳ５０７に関して後に詳述される）、総合性能指数Ｆ（ｔ）の改善が得られなかったことである。停止条件に達したときに、ステップＳ５０６が実行され、アルゴリズムが終了し、そうでない場合には、ステップＳ５０７が実行される。
【００８３】
ステップＳ５０７において、管理デバイスは、送信リソース割当ての変更を評価する。管理デバイスは、インデックス値ｔ−Ｗ＋１によって識別されるフレームからインデックス値ｔによって識別されるフレームまで移行するサイズＷの作業窓において動作する。図５のアルゴリズムの現在の実行中に、その作業窓から外れて実行される送信リソース割当ては変更されない、すなわち、厳密にｔ−Ｗ＋１未満のインデックス値によって識別されるフレームのために実行される送信リソース割当てはもはや変更されない。送信リソース割当ての変更を実行するために、管理デバイスは、例えば、ラウンドロビン方式において、サイズＷの作業窓内の１つの送信リソースを選択する。管理デバイスは、その後、選択された送信リソースを任意の他の送信に割り当てるとき、すなわち、Ｋ個の個別送信のうちの任意の他の個別送信を実行するために、又はシグナリング情報を送信するために、総合性能指数Ｆ（ｔ）がどうなるかを試験することができる。インデックスｖによって識別されるフレーム内のシグナリング情報に割り当てられた送信リソースを変更することは、性能指数Ｐ（ｖ＋ｘ）に影響を与えることに留意されたい。管理デバイスは、その後、試験された送信リソース割当てのうち、最良の総合性能指数Ｆ（ｔ）を示す送信リソース割当てを保持する。ステップＳ５０７の次の反復時に、管理デバイスは、別の送信リソースを選択し、選択された送信リソースを任意の他の送信に割り当てるときに総合性能指数Ｆ（ｔ）がどうなるかを試験する。
【００８４】
後続のステップＳ５０８において、管理デバイスは、ステップＳ５０７において得られた総合性能指数Ｆ（ｔ）が以前に記憶された送信リソース割当てに比べて改善を示すか否かをチェックする。ステップＳ５０７において得られた総合性能指数Ｆ（ｔ）が改善を示すとき、ステップＳ５０９が実行され、そうでない場合には、ステップＳ５０５が繰り返される。
【００８５】
ステップＳ５０９において、管理デバイスは、インデックス値ｔ−Ｗ＋１によって識別されるフレームからインデックス値ｔによって識別されるフレームまでの保持された送信リソース割当てを、その保持された送信リソース割当ての場合に得られた各性能指数Ｐ（ｔ−ｕ）及び総合性能指数Ｆ（ｔ）に関連付けて記憶する。その後、ステップＳ５０５が繰り返される。
【００８６】
特定の実施形態では、管理デバイスは、サイズＷの作業窓の中の最悪の性能指数Ｐ（ｔ−ｕ）を示すインデックスｔ−ｕによって識別されるフレームの送信リソースの中の全ての取り得る変更を最初に試験することによって、送信リソース割当ての変更を評価し始める。インデックスｔ−ｕによって識別されるフレームの送信リソースの中の全ての取り得る変更後に総合性能指数Ｆ（ｔ）に関する改善が得られない場合には、管理デバイスは、サイズＷの作業窓の中の２番目の悪い性能指数Ｐ（ｔ−ｕ’）を示すインデックスｔ−ｕ’によって識別されるフレームの送信リソースの中の全ての取り得る変更を試験することによって、送信リソース割当ての変更を評価することに切り替わる。ただし、０≦ｕ’＜Ｗであり、ｕ’≠ｕである。そうではなく、インデックスｔ−ｕによって識別されるフレームの送信リソースの中の全ての取り得る変更後に総合性能指数Ｆ（ｔ）に関する改善が得られた場合には、管理デバイスは、（サイズＷの作業窓にわたって性能指数Ｐの少なくとも１つの値が変化したので）サイズＷの作業窓の中の現在の最悪の性能指数Ｐを示すフレームの送信リソースの中の全ての取り得る変更を試験することによって、送信リソース割当ての変更を評価することに切り替わる。
【００８７】
特定の実施形態では、動的モードにおいて、管理デバイスは、サイズＷの作業窓の中で以下の式の最悪の結果が生じるインデックスｔ−ｕによって識別されるフレームの送信リソースの中の全ての取り得る変更を最初に試験することによって、送信リソース割当ての変更を評価し始める。
【数４４】
0006437089.tif 000045
【００８８】
インデックスｔ−ｕによって識別されるフレームの送信リソースの中の全ての取り得る変更後の総合性能指数Ｆ（ｔ）に関する改善が得られない場合には、管理デバイスは、サイズＷの作業窓の中の上記の式の２番目の悪い結果を示すインデックスｔ−ｕ’によって識別されるフレームの送信リソースの中の全ての取り得る変更を試験することによって、送信リソース割当ての変更を評価することに切り替わる。ただし、０≦ｕ’＜Ｗであり、ｕ’≠ｕである。そうではなく、インデックスｔ−ｕによって識別されるフレームの送信リソースの中の全ての取り得る変更後に総合性能指数Ｆ（ｔ）に関する改善が得られた場合には、管理デバイスは、（サイズＷの作業窓にわたって性能指数Ｐの少なくとも１つの値が変化したので）サイズＷの作業窓の中の現在の最悪の性能指数Ｐを示すフレームの送信リソースの中の全ての取り得る変更を試験することによって、送信リソース割当ての変更を評価することに切り替わる。
【００８９】
特定の実施形態では、ハイブリッドモードにおいて、管理デバイスは、サイズＷの作業窓の中で以下の式の最悪の結果が生じるインデックスｔ−ｕによって識別されるフレームの送信リソースの中の全ての取り得る変更を最初に試験することによって、送信リソース割当ての変更を評価し始める。
【数４５】
0006437089.tif 000046
【００９０】
インデックスｔ−ｕによって識別されるフレームの送信リソースの中の全ての取り得る変更後の総合性能指数Ｆ（ｔ）に関する改善が得られない場合には、管理デバイスは、サイズＷの作業窓の中の上記の式の２番目の悪い結果を示すインデックスｔ−ｕ’によって識別されるフレームの送信リソースの中の全ての取り得る変更を試験することによって、送信リソース割当ての変更を評価することに切り替わる。ただし、０≦ｕ’＜Ｗであり、ｕ’≠ｕである。そうではなく、インデックスｔ−ｕによって識別されるフレームの送信リソースの中の全ての取り得る変更後に総合性能指数Ｆ（ｔ）に関する改善が得られた場合には、管理デバイスは、（サイズＷの作業窓にわたって性能指数Ｐの少なくとも１つの値が変化したので）サイズＷの作業窓の中の現在の最悪の性能指数Ｐを示すフレームの送信リソースの中の全ての取り得る変更を試験することによって、送信リソース割当ての変更を評価することに切り替わる。
【図１】
0006437089.tif 000063
【図２Ａ】
0006437089.tif 000064
【図２Ｂ】
0006437089.tif 000065
【図３】
0006437089.tif 000066
【図４】
0006437089.tif 000067
【図５】
0006437089.tif 000068